Podtech/llm-jp-corpus-v4-ja_patent huggingface dataset:
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
以下によって表される化合物であって、
2015516427.tif 000001
式中、
Ｒ1がＨもしくはＣ1-3アルキルである化合物又はその薬学的に許容される塩もしくは立体異性体。
【請求項２】
以下によって表される請求項１に記載の化合物。
2015516427.tif 000002
【請求項３】
以下によって表される化合物であって、
2015516427.tif 000003
式中、
Ｒ2が、Ｈ、ヒドロキシル、及びイソプロピル（任意にヒドロキシルで置換された）からなる群から選択され、
Ｒ3が、Ｈ及びヒドロキシルからなる群から選択される化合物又はその薬学的に許容される塩もしくは立体異性体。
【請求項４】
以下によって表される化合物であって、
2015516427.tif 000004
式中、
Ｒ′がメチルであり、
Ｒ′′がＨもしくはメチルである化合物又はその薬学的に許容される塩もしくは立体異性体。
【請求項５】
以下によって表される化合物であって、
2015516427.tif 000005
式中、
Ｒ4及びＲ5が各々メチルであるか、あるいは
Ｒ4及びＲ5が、それらが付着する窒素と共に、メチル及びヒドロキシルからなる群から独立して選択される、１つもしくは２つの置換基によって任意に置換された、４〜５員環を形成する化合物又はその薬学的に許容される塩もしくは立体異性体。
【請求項６】
以下によって表され、
2015516427.tif 000006
式中、
Ｒ6は、Ｈ、ヒドロキシル、又はメチルからなる群から選択され、
Ｒ7が、Ｈ、ヒドロキシル、又はメチルからなる群から選択される請求項５に記載の化合物。
【請求項７】
以下によって表される化合物であって、
2015516427.tif 000007
式中、
ｎが１もしくは２である化合物又はその薬学的に許容される塩もしくは立体異性体。
【請求項８】
以下によって表される群から選択される化合物又はその薬学的に許容される塩もしくは立体異性体。
2015516427.tif 000008
【請求項９】
以下からなる群から選択される化合物又はその薬学的に許容される塩もしくは立体異性体。
2015516427.tif 000009
【請求項１０】
請求項１〜９のいずれか一項に記載の化合物の有効量を含む肥満症を治療及び／又は制御用組成物。
【請求項１１】
請求項１〜９のいずれか一項に記載の化合物の有効量を含む体重減少の誘導用組成物。
【請求項１２】
肥満度指数が２５ｋｇ／ｍ2以上の対象者に使用される請求項１０又は１１に記載の組成物。
【請求項１３】
経口、静脈内又は皮下投与形態である請求項１０〜１２のいずれか一項に記載の組成物。
【請求項１４】
請求項１〜９のいずれか一項に記載の化合物と、薬学的に許容される担体とを含む医薬組成物。
【請求項１５】
前記組成物が単位用量形態の製剤である請求項１０〜１４のいずれか一項に記載の組成物。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2015516420.tif 000001
［式中、
各Ｒは、独立して、ＨまたはＣ（Ｏ）ＣＨ３である；
Ｒ１およびＲ２は、独立して、（ａ）水素、（ｂ）Ｆ、−ＯＨ、−ＯＣＨ３および−ＣＨ３から選択される１〜３個の置換基で所望により置換されていてもよいＣ１−６アルキル、または（ｃ）Ｆ、−ＯＨ、−ＯＣＨ３および−ＣＨ３から選択される１〜３個の置換基で所望により置換されていてもよいＣ１−６アルコキシである；あるいは
Ｒ１およびＲ２は、それらが結合している窒素原子と一緒になって、アゼチジン、ピロリジン、ピペリジンまたはイソオキサゾリジンを形成していてもよい；
Ｒ３は、所望により１〜３個のフルオロで置換されていてもよいＣ１−１０アルキルである；
Ｒ４は、水素、または所望によりフェニルで置換されていてもよいＣ１−１０アルキルである；
Ｒ５は、
（Ａ）（１）フルオロ、
（２）モルホリノ、
（３）Ｃ３−６シクロアルキル、
（４）所望によりＣ１−６アルキルで置換されていてもよいピリジニル、
（５）（ａ）フルオロ、（ｂ）ヒドロキシ、（ｃ）所望により１〜３個のフルオロで置換されていてもよいＣ１−６アルキル、（ｄ）Ｃ１−６アルケニル、（ｅ）所望により１〜３個のフルオロで置換されていてもよいＣ１−５アルコキシ、（ｆ）フェニル、（ｇ）フェニルオキシ、（ｈ）ベンジルオキシおよび（ｉ）Ｃ１−１０アルキルフェニルから選択される１〜４個の置換基で所望により置換されていてもよいフェニルから選択される１個の置換基で所望により置換されていてもよいＣ１−８アルキル；
（Ｂ）１）−ＮＯ２、２）ＮＨ２、３）フルオロ、４）所望によりフルオロで置換されていてもよいＣ１−６アルキル、および５）所望によりフルオロで置換されていてもよいＣ１−６アルコキシから選択される１個の置換基で所望により置換されていてもよいフェニル；ならびに
（Ｃ）１）フルオロ、２）所望によりフルオロで置換されていてもよいＣ１−６アルキル、および３）所望によりフルオロで置換されていてもよいＣ１−６アルコキシで所望により置換されていてもよいピリジニルである］の化合物またはその医薬上許容される塩。
【請求項２】
Ｒ３がメチルまたはトリフルオロメチルである、請求項１記載の化合物またはその医薬上許容される塩。
【請求項３】
式（Ｉａ）：
【化２】
2015516420.tif 000002
の、請求項１記載の化合物またはその医薬上許容される塩。
【請求項４】
式（Ｉｂ）：
【化３】
2015516420.tif 000003
の、請求項１記載の化合物またはその医薬上許容される塩。
【請求項５】
Ｒ３がメチルまたはトリフルオロメチルであり、
Ｒ４が水素であり、
Ｒ５がＣ１−６アルキルであり、これは、
（１）フルオロ、
（２）モルホリノ、
（３）Ｃ３−６シクロアルキル、
（４）所望によりＣ１−６アルキルで置換されていてもよいピリジニル、
（５）（ａ）フルオロ、（ｂ）ヒドロキシ、（ｃ）所望によりフルオロで置換されていてもよいＣ１−６アルキル、（ｄ）Ｃ１−６アルケニル、（ｅ）所望によりフルオロで置換されていてもよいＣ１−５アルコキシ、（ｆ）フェニル、（ｇ）フェニルオキシ、（ｈ）ベンジルオキシおよび（ｉ）Ｃ１−６アルキルフェニル
から選択される１〜４個の置換基で所望により置換されていてもよいフェニルから選択される１個の置換基で所望により置換されていてもよい、請求項１記載の化合物またはその医薬上許容される塩。
【請求項６】
Ｒ３がメチルまたはトリフルオロメチルであり、
Ｒ４が水素であり、
Ｒ５が、（１）−ＮＯ２、（２）−ＮＨ２、（３）フルオロ、（４）所望によりフルオロで置換されていてもよいＣ１−６アルキル、および（５）所望によりフルオロで置換されていてもよいＣ１−６アルコキシから選択される１個の置換基で所望により置換されていてもよいフェニルである、請求項１記載の化合物またはその医薬上許容される塩。
【請求項７】
Ｒ３がメチルまたはトリフルオロメチルであり、
Ｒ４が水素であり、
Ｒ５が、（１）フルオロ、（２）所望によりフルオロで置換されていてもよいＣ１−６アルキル、および（３）所望によりフルオロで置換されていてもよいＣ１−６アルコキシで所望により置換されていてもよいピリジニルである、請求項１記載の化合物またはその医薬上許容される塩。
【請求項８】
該化合物が、実施例１〜１１、２０〜１１１、１１８、１１９および１２０またはそれらの医薬上許容される塩からなる群から選択される、請求項１記載の化合物またはその医薬上許容される塩。
【請求項９】
式（ＩＩ）：
【化４】
2015516420.tif 000004
［式中、
各Ｒは、独立して、ＨまたはＣ（Ｏ）ＣＨ３である；
Ｒ１およびＲ２は、独立して、（ａ）水素、（ｂ）Ｆ、−ＯＨ、−ＯＣＨ３および−ＣＨ３から選択される１〜３個の置換基で所望により置換されていてもよいＣ１−６アルキル、または（ｃ）Ｆ、−ＯＨ、−ＯＣＨ３および−ＣＨ３から選択される１〜３個の置換基で所望により置換されていてもよいＣ１−６アルコキシである；あるいは
Ｒ１およびＲ２は、それらが結合している窒素原子と一緒になって、アゼチジン、ピロリジン、ピペリジンまたはイソオキサゾリジンを形成していてもよい；
Ｒ３は、所望により１〜３個のフルオロで置換されていてもよいＣ１−１０アルキルである；
Ｒ４およびＲ５は、独立して、水素またはＣ１−６アルキルである；ならびに
Ｒ６は水素、Ｃ１−６アルキルまたはＣ３−６シクロアルキルである］の化合物またはその医薬上許容される塩。
【請求項１０】
式（ＩIａ）：
【化５】
2015516420.tif 000005
の、請求項９記載の化合物またはその医薬上許容される塩。
【請求項１１】
式（ＩIｂ）：
【化６】
2015516420.tif 000006
の、請求項９記載の化合物またはその医薬上許容される塩。
【請求項１２】
該化合物が、実施例１２〜１９および１１３〜１１７からなる群から選択される、請求項９記載の化合物またはその医薬上許容される塩。
【請求項１３】
該化合物が１１Ｃ、１３Ｃ、１４Ｃ、１８Ｆ、２Ｈおよび３Ｈとして同位体標識されている、請求項１記載の化合物またはその医薬上許容される塩。
【請求項１４】
該化合物が１１Ｃ、１３Ｃ、１４Ｃ、１８Ｆ、２Ｈおよび３Ｈとして同位体標識されている、請求項９記載の化合物またはその医薬上許容される塩。
【請求項１５】
実施例１１８〜１２０からなる群から選択される化合物またはその医薬上許容される塩。
【請求項１６】
該化合物が１１Ｃで同位体標識されている、請求項１５記載の化合物またはその医薬上許容される塩。
【請求項１７】
請求項１記載の化合物またはその医薬上許容される塩と医薬上許容される担体とを含む医薬組成物。
【請求項１８】
請求項１記載の化合物またはその医薬上許容される塩の治療的有効量を含む、アルツハイマー病および関連タウオパシー、緑内障、統合失調症、ハンチントン病、パーキンソン病、統合失調症、軽度認知障害（ＭＣＩ）、神経障害（末梢神経障害、自律神経障害、神経炎、糖尿病性神経障害を含む）ならびに癌からなる群から選択される疾患または障害の治療用の医薬組成物。
【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
以下の式の化合物：
【化１】
2015516419.tif 000001
（式中、Ｘは以下：
【化２】
2015516419.tif 000002
を表す）
またはその薬学的に許容可能な塩。
【請求項２】
【化３】
2015516419.tif 000003
である、請求項１に記載の化合物またはその薬学的に許容可能な塩。
【請求項３】
【化４】
2015516419.tif 000004
である、請求項２に記載の化合物。
【請求項４】
治療に使用するための請求項１〜３のいずれか一項に記載の化合物またはその薬学的に許容可能な塩を含む医薬組成物。
【請求項５】
１種以上の薬学的に許容可能な担体、希釈剤または賦形剤と併せて請求項１〜３のいずれか一項に記載の化合物またはその薬学的に許容可能な塩を含む医薬組成物。
【請求項６】
１種以上の他の治療剤をさらに含む、請求項４または５に記載の医薬組成物。
【請求項７】
糖尿病の治療に使用するための請求項４〜６のいずれか一項に記載の医薬組成物。
【請求項８】
１型糖尿病の治療に使用するための請求項４〜６のいずれか一項に記載の医薬組成物。
【請求項９】
２型糖尿病の治療に使用するための請求項４〜６のいずれか一項に記載の医薬組成物。
【請求項１０】
糖尿病の治療のための医薬を製造するための請求項１〜３のいずれか一項に記載の化合物またはその薬学的に許容可能な塩の使用。
【請求項１１】
１型糖尿病の治療のための医薬を製造するための請求項１〜３のいずれか一項に記載の化合物またはその薬学的に許容可能な塩の使用。
【請求項１２】
２型糖尿病の治療のための医薬を製造するための請求項１〜３のいずれか一項に記載の化合物またはその薬学的に許容可能な塩の使用。
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
水ベースインクジェット用インク配合物であって、
（ａ）水を含み、前記水が前記インク配合物の少なくとも８重量％を構成する溶媒、
（ｂ）前記溶媒中に分散されるか、または少なくとも部分的に溶解され、前記インク配合物の少なくとも１重量％を構成する少なくとも１種の着色剤、および
（ｃ）前記溶媒中に分散されるか、または少なくとも部分的に溶解され、前記インク配合物の６〜４０重量％を構成する有機ポリマー樹脂、
を含み、
前記ポリマー樹脂／前記着色剤の重量比が少なくとも１：１．５であり、
前記ポリマー樹脂の平均分子量が少なくとも８，０００であり、
前記インク配合物が、（ｉ）２０〜６０℃の範囲中の少なくとも１点の温度で２〜２５センチポイズ（ｃＰ）の粘度、および（ｉｉ）２０〜６０℃の範囲中の少なくとも１点の温度で５０ミリニュートン／ｍ（ｍＮ／ｍ）以下の表面張力、の内の少なくとも１つの特性を有し、
前記インク配合物が、実質的乾燥時に、（ａ）９０℃〜１９５℃の範囲中の少なくとも１点の温度で、前記乾燥インク配合物が１，０００，０００（１×１０６）ｃＰ〜３００，０００，０００（３×１０８）ｃＰの範囲の第１の動的粘度を有し、および（ｂ）５０℃〜８５℃の範囲中の少なくとも１点の温度で、乾燥インク配合物が少なくとも８０，０００，０００（８×１０７）ｃＰの第２の動的粘度を有し、前記第２の動的粘度が前記第１の動的粘度より高いインクであり、
６０℃での前記第２の動的粘度の、９０℃での前記第１の動的粘度に対する比率が、少なくとも１．５：１である、インクジェット用インク配合物。
【請求項２】
前記温度が１６０℃から下がるに伴い、前記乾燥インク配合物の粘度は単調に増加する、請求項１に記載のインクジェット用インク配合物。
【請求項３】
前記第１の動的粘度が最大７＊１０７ｃＰである、請求項２に記載のインクジェット用インク配合物。
【請求項４】
前記第２の動的粘度が、少なくとも９＊１０７ｃＰ、少なくとも１０８ｃＰ、少なくとも１．１＊１０８ｃＰ、少なくとも１．２＊１０８ｃＰ、少なくとも１．３＊１０８ｃＰ、少なくとも１．４＊１０８ｃＰ、少なくとも１．５＊１０８ｃＰ、少なくとも２．０＊１０８ｃＰ、少なくとも２．５＊１０８ｃＰ、少なくとも３＊１０８ｃＰ、少なくとも３．５＊１０８ｃＰ、少なくとも４．０＊１０８ｃＰ、少なくとも５．０＊１０８ｃＰ、少なくとも６＊１０８ｃＰ、少なくとも７．５＊１０８ｃＰ、少なくとも１０９ｃＰ、少なくとも２＊１０９ｃＰ、少なくとも４＊１０９ｃＰ、または少なくとも６＊１０９ｃＰである、請求項１〜３のいずれか１項に記載のインクジェット用インク配合物。
【請求項５】
６０℃での前記第２の動的粘度の、９０℃での前記第１の動的粘度に対する前記比率が、少なくとも１．７：１、少なくとも２：１、少なくとも２．５：１、少なくとも３：１、少なくとも４：１、少なくとも４．５：１、少なくとも５：１、少なくとも６：１、少なくとも７：１、または少なくとも８：１である、請求項１〜４のいずれか１項に記載のインクジェット用インク配合物。
【請求項６】
前記ポリマー樹脂／前記着色剤の重量比が、少なくとも１．７５：１、少なくとも２：１、少なくとも２．５：１、少なくとも３：１、少なくとも３．５：１、少なくとも４：１、少なくとも５：１、少なくとも７：１、または少なくとも１０：１である、請求項１〜５のいずれか１項に記載のインクジェット用インク配合物。
【請求項７】
実質的乾燥時に、最大４０℃、最大３９℃、最大３７℃、最大３５℃、最大３２℃、最大３０℃または最大２８℃のガラス転移温度（Ｔｇ）を有する、請求項１〜６のいずれか１項に記載のインクジェット用インク配合物。
【請求項８】
実質的乾燥時に、前記インクが、少なくとも６０重量％、または少なくとも７０重量％の前記樹脂を含む、請求項１〜７のいずれか１項に記載のインクジェット用インク配合物。
【請求項９】
（ａ）水および、任意選択の共溶媒を含む溶媒と、
（ｂ）前記溶媒中に分散されるか、または少なくとも部分的に溶解された少なくとも１種の着色剤と、
（ｃ）前記溶媒中に分散されるか、または少なくとも部分的に溶解され、平均分子量が少なくとも８、０００である有機ポリマー樹脂と、
（ｄ）任意で界面活性剤、分散剤、およびｐＨ上昇化合物の内の少なくとも１つと、
を含み、
水および共溶媒を含む溶媒で希釈時に、請求項１〜８のいずれか１項に記載の水性インクジェット配合物を生成する、インクジェット用インク濃縮物。
【請求項１０】
前記水性インクジェット用インク配合物を得るために、前記濃縮物に対する重量／重量ベースで、少なくとも５０％、少なくとも１００％、少なくとも１５０％、少なくとも２００％、少なくとも２５０％、少なくとも３００％、少なくとも３５０％、または少なくとも４００％の溶媒で前記濃縮物を希釈する必要がある、請求項９に記載のインクジェット用インク濃縮物。
【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
チオ硫酸ナトリウムと親油性物質中親水性物質型エマルションとを含む医薬組成物。
【請求項２】
前記チオ硫酸ナトリウムの重量含量が、前記組成物の全重量に対して５％から２５％までである、請求項１に記載の医薬組成物。
【請求項３】
前記親油性物質中親水性物質型エマルションは、室温で固体である親油性成分と、室温で液体である親油性成分と、室温で液体である親水性成分とを含む、請求項１または２に記載の医薬組成物。
【請求項４】
前記室温で固体である親油性成分は、前記組成物の全重量に対して５重量％ないし２８重量％の含量で存在する、請求項１ないし３のいずれか１項に記載の医薬組成物。
【請求項５】
前記室温で液体である親油性成分と、前記室温で液体である親水性成分との重量比が、０．８から１．９までである、請求項１ないし４のいずれか１項に記載の医薬組成物。
【請求項６】
前記室温で液体である親油性成分と、前記室温で液体である親水性成分との重量比は、１ないし１．９である、請求項１ないし５のいずれか１項に記載の医薬組成物。
【請求項７】
前記エマルションは、前記エマルションの全重量に対して：
ａ）前記室温で固体である親油性成分７重量％〜３０重量％と；
ｂ）前記室温で液体である親油性成分４５重量％〜６５重量％と；
ｃ）前記室温で液体である親水性成分１５重量％〜４０重量％と
を含む、請求項１ないし６のいずれか１項に記載の医薬組成物。
【請求項８】
前記室温で液体である親油性成分は少なくとも１種類の植物油を含む、請求項１ないし７のいずれか１項に記載の医薬組成物。
【請求項９】
前記室温で液体である親水性成分は水を含む、請求項１ないし８のいずれか１項に記載の医薬組成物。
【請求項１０】
前記室温で液体である親水性成分は、水と、１種類以上の溶媒および／または水溶性添加剤とを含む、請求項１ないし９のいずれか１項に記載の医薬組成物。
【請求項１１】
前記チオ硫酸ナトリウムの重量含量は前記組成物の全重量に対して８％ないし１２％であり、前記親油性物質中親水性物質型エマルションはGalenワックスである、請求項１ないし１０のいずれか１項に記載の医薬組成物。
【請求項１２】
前記チオ硫酸ナトリウムはさらに親油性物質中親水性物質型エマルションを含む医薬組成物の形態である、個体における異所性石灰化および／またはその結果の治療のための局所投与のための使用のための請求項１ないし１１のいずれか１項に記載の医薬組成物。
【請求項１３】
前記石灰化は、皮膚または皮下の石灰化である、請求項１２に記載の使用のための医薬組成物。
【請求項１４】
前記石灰化は、転移性石灰化、異栄養性石灰化か、医原性石灰化か、特発性石灰化か、カルシフィラキシーに関連した石灰化か、皮下異所性骨化かである、請求項１２または１３に記載の使用のための医薬組成物。
【請求項１５】
石灰化が、原発性甲状腺機能亢進症、ビタミンＤ中毒、ミルク・アルカリ症候群、高カルシウム血症、続発性甲状腺機能亢進症、腎不全、高リン血症、遺伝性高リン血症、強皮症、皮膚筋炎、若年型皮膚筋炎、混合結合組織病、ループス、ＣＲＥＳＴ症候群、エーラス・ダンロス症候群、弾性線維性仮性黄色腫、ウェルナー症候群、遅発性皮膚ポルフィリン症、偽性副甲状腺機能低下症、偽性偽性副甲状腺機能低下症、（原発性または続発性）静脈不全症または動脈不全症、糖尿病、陰嚢石灰沈着症、骨化性筋炎、外傷後異所性骨化、および、特にヒドロキシアパタイトまたはピロリン酸カルシウムのカルシウム結晶沈着によって引き起こされる任意の他の疾病または病状からなる群より選択された疾病または病状に関連する、請求項１２ないし１４のいずれか１項に記載の使用のための医薬組成物。
【請求項１６】
前記親油性物質中親水性物質型エマルション中に前記チオ硫酸ナトリウムを分散するステップを含む、請求項１ないし１１のいずれか１項に記載の組成物を調製するための方法。
【請求項１７】
前記親油性物質中親水性物質型エマルション中に前記チオ硫酸ナトリウムを分散するステップを含み、該チオ硫酸ナトリウムは、親水性溶液にあらかじめ溶解されている、請求項１６に記載の組成物を調製するための方法。
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
箔（ＦＯ）上に製品を製造するための製造機構であって、製造機構が、蒸着ゾーン（１０）を含み、第１の蒸着機構（２１）が、箔上に材料の層を蒸着するために配置され、製造機構が、蒸着された層を処理するための少なくとも１つの処理機構（３１）をさらに含み、前記処理機構が、前記蒸着ゾーンの外に配置され、前記蒸着ゾーンから離れて回動機構（４１）に向かう第１の方向に第１の通路（３１ａ）と、前記回動機構から前記蒸着ゾーンに向かって戻る第２の通路（３１ｂ）とを有する処理経路を含み、製造機構が、蒸着ゾーン内部の箔を方向転換するためのリダイレクティング機構（５１ａ、５１ｂ）をさらに含み、蒸着ゾーン（１０）が、出口（１１ａ）及び入口（１１ｂ）を有するクリーンルームであり、前記第１の通路（３１ａ）が、前記出口（１１ａ）から離れる第１の方向に導かれ、前記入口（１１ｂ）に向かって戻る、製造機構であって、
少なくとも第２の蒸着機構（２２）が、蒸着ゾーンに配置され、箔が、処理機構を介して、前記第１及び前記少なくとも第２の蒸着機構に沿って案内されることを特徴とする、製造機構。
【請求項２】
第１及び第２のリダイレクティング機構（５１ａ、５１ｂ）が、少なくとも第２の蒸着機構（２２）の入力部に向かって箔を方向転換する、請求項１記載の製造機構。
【請求項３】
蒸着ゾーンが、第１及び少なくとも第２の蒸着機構（２１、２２）が配置された第１のサブゾーン（１０ａ）と、少なくとも第１、及び第２のリダイレクション機構５１ａ、５１ｂが配置され、第２のサブゾーンが第１のサブゾーンから分断された第２のサブゾーン（１０ｂ）とを含む、請求項１記載の製造機構。
【請求項４】
並んで配置された少なくとも３つの蒸着機構（２１、２２、２３、２４）を含む、請求項１記載の製造装置。
【請求項５】
処理機構（３１）の第１及び第２の通路（３１ａ、３１ｂ）が、箔（ＦＯ）の幅の最大で２０倍、好ましくは最大で１０倍の距離（Ｄ）で、互いに対して平行に配置される、請求項１記載の製造装置。
【請求項６】
前記回動機構（４１）が、各々が第１の方向（−ｘ）に対して斜めである方向を有する、箔用の第１及び第２のガイダンスバー（４１１、４１２）を含み、第１及び第２のガイダンスバーが、互いに対して横に配置される、請求項１記載の製造機構。
【請求項７】
前記回動機構（４１）及び前記処理機構（３１）が、共通のハウジング（３５）を共有する、請求項１記載の製造機構。
【請求項８】
回動機構（４１）に、及び／又はリダイレクション機構（５２）に組み込まれたアライメント機構（４１３；５２３）を含む、請求項１記載の製造機構。
【請求項９】
少なくとも１つの処理機構（３１）の経路が、ハウジング（３５）によって囲まれて、処理室（６０）内に配置され、処理室が、クリーンルーム（１０）のものよりも少なくとも１０倍高いクリーンルームクラスを有する、請求項１記載の製造機構。
【請求項１０】
第１及び／又は第２の蒸着機構（２１、２２）が、印刷機構及びコーティング機構から選択される、請求項１記載の製造機構。
【請求項１１】
少なくとも１つの処理機構（３１）が、乾燥機構、焼結機構、アニーリング機構、硬化機構及び溶融機構、アブレーション機構から選択される、請求項１記載の製造機構。
【請求項１２】
第１及び少なくとも第２の蒸着機構（２１、２２）の１つ又はそれ以上が、箔（ＦＯ）上に層を蒸着するための蒸着ユニット（２１３）に加えて、アンワインドユニット（２１１）、第１の洗浄及び／又はアライメントユニット（２１２）、第１のアライメントユニット（２１２）、後硬化（２１４）、検査ユニット、第２の洗浄及び／又はアライメントユニット（２１５）並びに巻きユニット（２１６）の１つ又はそれ以上を含む、請求項１記載の製造機構。
【請求項１３】
前記処理経路が処理室（６０）内に配置され、クリーンルーム（１０）の面積が、クリーンルーム（１０）及び処理室（６０）によって占有される総面積の最大で１／３である、請求項１記載の製造機構。
【請求項１４】
前記回動機構が、空気浮上式軸受を含む、請求項１記載の製造機構。
【請求項１５】
クリーンルームである蒸着ゾーンにおいて、第１の蒸着工程によって箔上に第１の層を蒸着する（Ｓ１）工程と、
−前記蒸着ゾーンから離れる第１の方向の第１の通路に沿って、前記第１の層を有する箔を蒸着ゾーンの外に案内し（Ｓ２）、前記蒸着ゾーンに向かって戻る第２の通路に沿って回動させ、同時に第１及び／又は第２の通路に沿って前記第１の層を処理する（Ｓ３）工程と、
を有する、箔上に製品を製造するための方法であって、
−蒸着ゾーンに戻った後、第２の蒸着工程によって、箔上に第２の層を蒸着する（Ｓ４）ことを特徴とする方法。
【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
（ｉ）熱硬化性樹脂と、
（ｉｉ）任意に、フィルム形成性樹脂と、
（ｉｉｉ）導電性充填剤と、
（ｉｖ）多官能性フェノールと多官能性芳香族エポキシおよび多官能性脂肪族エポキシの混合物との反応から調製される鎖延長されたエポキシと、
を含み、
多官能性芳香族エポキシが下記式から成る群より選択される、導電性接着剤組成物。
【化１】
2015516499.tif 000001
【請求項２】
前記鎖延長されたエポキシが、総組成物の１〜２０ｗｔ％の量で、前記組成物中に存在する、請求項１に記載の導電性接着剤組成物。
【請求項３】
前記鎖延長されたエポキシを調製するのに使用される前記多官能性脂肪族エポキシが、下記式からなる群より選択される、請求項１に記載の導電性接着剤組成物。
【化２】
2015516499.tif 000002
【請求項４】
前記鎖延長されたエポキシを調製するのに使用される前記多官能性フェノールが、下記式からなる群より選択される、請求項１に記載の導電性接着剤組成物。
【化３】
2015516499.tif 000003
（式中、ｎは、繰返し単位を意味する数字である。）
【請求項５】
前記鎖延長されたエポキシ中の、総エポキシ官能基のフェノール官能基に対する化学量論比が、０．０５〜３０の範囲である、請求項１に記載の導電性接着剤組成物。
【請求項６】
前記熱硬化性樹脂が、ビスフェノールＡエポキシ樹脂のジグリシジルエーテル、ビスフェノールＦエポキシ樹脂のジグリシジルエーテル、エポキシノボラック樹脂、エポキシクレゾール樹脂、および下記構造を有するものからなる群より選択されるエポキシである、請求項１に記載の導電性接着剤組成物。
【化４】
2015516499.tif 000004
【請求項７】
前記熱硬化性樹脂が、４，４’−ジフェニルメタンビスマレイミド、４，４’−ジフェニルエーテルビスマレイミド、４，４’−ジフェニルスルホンビスマレイミド、フェニルメタンマレイミド、ｍ−フェニレンビスマレイミド、２，２’−ビス［４−（４−マレイミドフェノキシ）フェニル］プロパン、３，３’−ジメチル−５，５’−ジエチル−４，４’−ジフェニルメタンビスマレイミド、４−メチル−１，３−フェニレンビスマレイミド、１，６’−ビスマレイミド−（２，２，４−トリメチル）ヘキサン、１，３−ビス（３−マレイミドフェノキシ）ベンゼンおよび１，３−ビス（４−マレイミドフェノキシ）ベンゼンからなる群より選択されるビスマレイミドである、請求項１に記載の導電性接着剤組成物。
【請求項８】
前記熱硬化性樹脂が、下記構造を有するアクリレートである、請求項１に記載の導電性接着剤組成物。
【化５】
2015516499.tif 000005
【請求項９】
前記熱硬化性樹脂が、総組成物の０．５ｗｔ％〜４０ｗｔ％の量で存在する、請求項１に記載の導電性接着剤組成物。
【請求項１０】
前記フィルム形成性樹脂が存在し、カルボキシ末端ブタジエンアクリロニトリルおよび液体または粘性エポキシ樹脂の付加体、ポリ［メタクリル酸メチル］−ｂ−ポリ（アクリル酸ブチル）−ｂ−ポリ［メタクリル酸メチル］、ポリ［スチレン−ｂ−ポリブタジエン−ｂ−ポリ［メタクリル酸メチル］、ブタジエンゴムおよびスチレンゴムからなる群より選択される、請求項１に記載の導電性接着剤組成物。
【請求項１１】
前記フィルム形成性樹脂が、総組成物の３０ｗｔ％以下の量で、導電性組成物中に存在する、請求項１０に記載の導電性接着剤組成物。
【請求項１２】
前記導電性充填剤が、カーボンブラック、グラファイト、金、銀、銅、白金、パラジウム、ニッケル、アルミニウム、銀めっき銅、銀めっきアルミニウム、ビスマス、スズ、ビスマス−スズ合金、銀めっきファイバー、炭化ケイ素、窒化ホウ素、ダイヤモンド、アルミナおよび合金４２からなる群より選択される、請求項１に記載の導電性接着剤組成物。
【請求項１３】
前記導電性充填剤が、総組成物の８０ｗｔ％以上の量で、導電性組成物中に存在する、請求項１に記載の導電性接着剤組成物。
【請求項１４】
鎖延長されたエポキシが総組成物の１〜２０ｗｔ％の量で組成物中に存在する、請求項６に記載の導電性接着剤組成物。
【請求項１５】
鎖延長されたエポキシを調製するのに使用される多官能性脂肪族エポキシが、下記式からなる群より選択される、請求項６に記載の導電性接着剤組成物。
【化６】
2015516499.tif 000006
【請求項１６】
鎖延長されたエポキシを調製するのに使用される多官能性フェノールが、下記式からなる群より選択される、請求項６に記載の導電性接着剤組成物。
【化７】
2015516499.tif 000007
（式中、ｎは繰返し単位を意味する数字である。）
【請求項１７】
前記鎖延長されたエポキシ中の、総エポキシ官能基のフェノール官能基に対する化学量論比が、０．０５〜３０の範囲である、請求項６に記載の導電性接着剤組成物。
【請求項１８】
エポキシが、総組成物の０．５ｗｔ％〜４０ｗｔ％の量で存在する、請求項６に記載の導電性接着剤組成物。
【請求項１９】
（ｉ）ビスフェノールＡエポキシ樹脂のジグリシジルエーテル、ビスフェノールＦエポキシ樹脂のジグリシジルエーテル、エポキシノボラック樹脂、エポキシクレゾール樹脂、および下記構造を有するものからなる群より選択される熱硬化性樹脂と、
【化８】
2015516499.tif 000008
（ｉｉ）任意に、フィルム形成性樹脂と、
（ｉｉｉ）導電性充填剤と、
（ｉｖ）（１）下記式からなる群より選択される、多官能性芳香族エポキシ
【化９】
2015516499.tif 000009
（２）多官能性フェノール、および
（３）多官能性脂肪族エポキシ：
【化１０】
2015516499.tif 000010
の反応から調製される、鎖延長されたエポキシと、
を含む導電性接着剤組成物。
【手続補正書】
【提出日】平成28年3月29日(2016.3.29)
【手続補正１】
【補正対象書類名】明細書
【補正対象項目名】００９７
【補正方法】変更
【補正の内容】
【００９７】
【表４】
2015516484.tif 000001
本発明の実施態様の一部を以下の項目［１］−［１７］に記載する。
［１］
ａ）
ｉ．第１のガラス転移温度を有する（メタ）アクリレートコポリマーを含む内側コア、及び
ｉｉ．少なくとも１つのペンダント官能基を含有する（メタ）アクリレートコポリマーを含み、かつ前記第１のガラス転移温度以下である第２のガラス転移温度を有する外側シェル、を含むコア−シェルポリマー成分と、
ｂ）前記外側シェルにおける前記ペンダント官能基のうちの少なくとも１つと反応することができる多官能性成分と、を含むエマルションであって、
前記内側コアが、前記外側シェルにおける前記ペンダント官能基と反応する官能基を含まず、
前記エマルションのｐＨが、６．５以下であり、
前記エマルションが、速硬化性一液型水性接着剤である、エマルション。
［２］
前記内側コアが、＋１０℃以下の第１のガラス転移温度を有する、項目１に記載のエマルション。
［３］
前記エマルションが、アニオン性界面活性剤を更に含む、項目１又は２に記載のエマルション。
［４］
前記エマルションが、コア−シェルポリマー１００部当たり１．５部（乾燥）以下の界面活性剤含量を有する、項目３に記載のエマルション。
［５］
前記ポリマーシェル成分における各ペンダント官能基当量について、前記多官能性成分における官能基当量数が、０．５〜１．５である、項目１〜４のいずれかに記載のエマルション。
［６］
前記ペンダント官能基が、ケトン及びアルデヒドから選択される、項目１〜５のいずれかに記載のエマルション。
［７］
前記多官能性成分が、ポリヒドラジド及びポリアミンから選択される、項目１〜６のいずれかに記載のエマルション。
［８］
前記コア−シェル成分が、２５〜８３重量％の前記コア成分を含む、項目１〜７のいずれかに記載のエマルション。
［９］
前記エマルションの粒子が、２００ｎｍ以下の直径を有する、項目１〜８のいずれかに記載のエマルション。
［１０］
前記エマルションが、非水性溶媒を含まない、項目１〜９のいずれかに記載のエマルション。
［１１］
ａ）
ｉ．第１のガラス転移温度を有する（メタ）アクリレートコポリマーを含む内側コア、及び
ｉｉ．少なくとも１つのペンダント官能基を含有する（メタ）アクリレートコポリマーを含み、かつ前記第１のガラス転移温度以下である第２のガラス転移温度を有する外側シェル、を含むコア−シェルポリマー成分と、
ｂ）前記外側シェルにおける前記ペンダント官能基のうちの少なくとも１つと反応することができる多官能性成分と、を含むエマルションを用いて互いに固着している２枚の基材を含む物品あって、
前記内側コアが、前記外側シェルにおける前記ペンダント官能基と反応する官能基を含まず、
前記エマルションのｐＨが、６．５以下であり、
前記エマルションが、速硬化性一液型水性接着剤である、物品。
［１２］
前記２枚の基材が、互いに対して再配置可能である、項目１１に記載の物品。
［１３］
前記２枚の基材が、分離可能である、項目１１又は１２に記載の物品。
［１４］
２枚の基材を接合する方法であって、
ａ）
ｉ．第１のガラス転移温度を有する（メタ）アクリレートコポリマーを含む内側コア、及び
ｉｉ．少なくとも１つのペンダント官能基を含有する（メタ）アクリレートコポリマーを含み、かつ前記第１のガラス転移温度以下である第２のガラス転移温度を有する外側シェル、を含むコア−シェルポリマー成分と、
ｂ）前記外側シェルにおける前記ペンダント官能基のうちの少なくとも１つと反応することができる多官能性成分と、を含むエマルションを前記基材のうちの少なくとも１枚に塗布することであって、
前記内側コアが、前記外側シェルにおける前記ペンダント官能基と反応する官能基を含まず、
前記エマルションのｐＨが、６．５以下であり、
前記エマルションが、速硬化性一液型水性接着剤である、塗布することと、
前記基材を接合することと、を含む、方法。
［１５］
前記基材を再配置することを更に含む、項目１４に記載の方法。
［１６］
前記エマルションが、ブラッシング、噴霧、ワイピング、ローリング、又は機械的印刷方法によって塗布される、項目１４又は１５に記載の方法。
［１７］
前記エマルションが、単一の容器から噴霧によって塗布される、項目１６に記載の方法。
【手続補正２】
【補正対象書類名】特許請求の範囲
【補正対象項目名】全文
【補正方法】変更
【補正の内容】
【特許請求の範囲】
【請求項１】
ａ）
ｉ．第１のガラス転移温度を有する（メタ）アクリレートコポリマーを含む内側コア、及び
ｉｉ．少なくとも１つのペンダント官能基を含有する（メタ）アクリレートコポリマーを含み、かつ前記第１のガラス転移温度以下である第２のガラス転移温度を有する外側シェル、を含むコア−シェルポリマー成分と、
ｂ）前記外側シェルにおける前記ペンダント官能基のうちの少なくとも１つと反応することができる多官能性成分と、を含むエマルションであって、
前記内側コアが、前記外側シェルにおける前記ペンダント官能基と反応する官能基を含まず、
前記エマルションのｐＨが、６．５以下であり、
前記エマルションが、速硬化性一液型水性接着剤である、エマルション。
【請求項２】
ａ）
ｉ．第１のガラス転移温度を有する（メタ）アクリレートコポリマーを含む内側コア、及び
ｉｉ．少なくとも１つのペンダント官能基を含有する（メタ）アクリレートコポリマーを含み、かつ前記第１のガラス転移温度以下である第２のガラス転移温度を有する外側シェル、を含むコア−シェルポリマー成分と、
ｂ）前記外側シェルにおける前記ペンダント官能基のうちの少なくとも１つと反応することができる多官能性成分と、を含むエマルションを用いて互いに固着している２枚の基材を含む物品あって、
前記内側コアが、前記外側シェルにおける前記ペンダント官能基と反応する官能基を含まず、
前記エマルションのｐＨが、６．５以下であり、
前記エマルションが、速硬化性一液型水性接着剤である、物品。
【請求項３】
２枚の基材を接合する方法であって、
ａ）
ｉ．第１のガラス転移温度を有する（メタ）アクリレートコポリマーを含む内側コア、及び
ｉｉ．少なくとも１つのペンダント官能基を含有する（メタ）アクリレートコポリマーを含み、かつ前記第１のガラス転移温度以下である第２のガラス転移温度を有する外側シェル、を含むコア−シェルポリマー成分と、
ｂ）前記外側シェルにおける前記ペンダント官能基のうちの少なくとも１つと反応することができる多官能性成分と、を含むエマルションを前記基材のうちの少なくとも１枚に塗布することであって、
前記内側コアが、前記外側シェルにおける前記ペンダント官能基と反応する官能基を含まず、
前記エマルションのｐＨが、６．５以下であり、
前記エマルションが、速硬化性一液型水性接着剤である、塗布することと、
前記基材を接合することと、を含む、方法。
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
式
【化１】
2015516464.tif 000001
(式中、
R1は、H、CH3、OCH3、CF3、F、Cl、Br又はIであり;
Xは、C又はNであり;
R2はH、CH3、CH2CH3、CH(CH3)2、C(CH3)3、CH2CH2CH3;CH2CH2CH2OH、CH2CH2CH2CH3、CH2CH2CH2CH3、CH2CHCH2、CH2CH2CH2CH2CH2CH3;
【化２】
2015516464.tif 000002
2015516464.tif 000003
であり;
R3はH、CH3、OCH3、F、Cl、Br、I又はCF3であり;
R4はH、CH3、OCH3、F、Cl、Br、I又はCF3であり;
R5はH、CH3、OCH3、F、Cl、Br、I又はCF3である)
の化合物又はそれらの塩、水和物若しくは溶媒和物。
【請求項２】
R2が、
【化３】
2015516464.tif 000004
である、請求項1に記載の化合物。
【請求項３】
請求項1に記載の少なくとも1種の化合物を、1種以上の薬学的に許容される担体又は賦形剤と共に含む医薬組成物。
【請求項４】
病状又は状態が対象におけるHsp90活性の阻害に応答する、対象における病状又は状態の予防又は治療方法であって、それらを必要とする対象に、請求項1に記載の少なくとも1種の化合物の、Hsp90活性を阻害するために有効な量を投与することを含む方法。
【請求項５】
病状又は状態が対象におけるHsp90活性の阻害に応答する、対象における病状又は状態の予防又は治療方法であって、請求項1に記載の少なくとも1種の化合物の、Hsp90活性を阻害するのに有効な量及び追加の治療剤を、それらを必要とする対象に投与することを含む方法。
【請求項６】
治療剤を用いた治療を受けており、病状又は状態が前記治療剤に対する耐性の発生であり、病状又は状態がHsp90活性の阻害に応答する、対象における病状又は状態の予防又は治療方法であって、それらを必要とする対象に、請求項1に記載の少なくとも1種の化合物のHsp90活性を阻害するのに有効な量を投与することを含む方法。
【請求項７】
Hsp90に媒介される病状又は状態が、自己免疫疾患、炎症性疾患、神経性疾患、感染、癌、癌腫、心臓血管疾患、アレルギー、喘息、増殖性障害、代謝性疾患、白血病、新生物、ホルモン関連疾患、加齢黄斑変性、及び神経線維腫症から生じる腫瘍又は症状を含む群から選択される、請求項4に記載の方法。
【請求項８】
Hsp90に媒介される疾患又は状態が、パーキンソン病、アルツハイマー病、ハンチントン病、及び筋萎縮性側索硬化症を含む群から選択される神経変性性疾患である、請求項4に記載の方法。
【請求項９】
哺乳動物における異常な細胞成長を含むか又はそれから生じる疾患若しくは状態の予防又は治療のための方法であって、哺乳動物においてHsp90活性を阻害するのに有効な量の、請求項1に記載の少なくとも1種の化合物を哺乳動物に投与することを含む方法。
【請求項１０】
異常な細胞成長を含むか又はそれから生じる疾患若しくは状態が、膀胱、乳房、大腸、腎臓、表皮、肝、肺、食道、胆嚢、卵巣、膵、胃、子宮頸部、甲状腺、前立腺、胃腸系又は皮膚の癌;リンパ系統の造血性腫瘍;骨髄腫系統の造血性腫瘍;甲状腺の濾胞性癌;間葉系起源の腫瘍;中枢又は末梢神経系の腫瘍;メラノーマ;精上皮腫;奇形癌;骨肉腫;色素性乾皮症;神経線維腫症;角化棘細胞腫;甲状腺濾胞性癌;及びカポジ肉腫を含む、請求項9に記載の方法。
【請求項１１】
抗癌剤に対する耐性の発生率を軽減又は減少させる方法であって、それらを必要とする対象に、請求項1に記載の少なくとも1種の化合物の、対象におけるHsp90活性を阻害するのに有効な量を投与することを含む方法。
【請求項１２】
請求項2に記載の少なくとも1種の化合物を、1種以上の薬学的に許容される担体又は賦形剤と共に含む医薬組成物。
【請求項１３】
病状又は状態が対象におけるHsp90活性の阻害に応答する、対象における病状又は状態の予防又は治療方法であって、それらを必要とする対象に、請求項2に記載の少なくとも1種の化合物の、Hsp90活性を阻害するために有効な量を投与することを含む方法。
【請求項１４】
病状又は状態が対象におけるHsp90活性の阻害に応答する、対象における病状又は状態の予防又は治療方法であって、請求項2に記載の少なくとも1種の化合物の、Hsp90活性を阻害するのに有効な量及び追加の治療剤を、それらを必要とする対象に投与することを含む方法。
【請求項１５】
治療剤を用いた治療を受けており、病状又は状態が前記治療剤に対する耐性の発生であり、病状又は状態がHsp90活性の阻害に応答する、対象における病状又は状態の予防又は治療方法であって、それらを必要とする対象に、請求項2に記載の少なくとも1種の化合物のHsp90活性を阻害するのに有効な量を投与することを含む方法。
【請求項１６】
Hsp90に媒介される病状又は状態が、自己免疫疾患、炎症性疾患、神経性疾患、感染、癌、癌腫、心臓血管疾患、アレルギー、喘息、増殖性障害、代謝性疾患、白血病、新生物、ホルモン関連疾患、加齢黄斑変性、及び神経線維腫症から生じる腫瘍又は症状を含む群から選択される、請求項13に記載の方法。
【請求項１７】
Hsp90に媒介される疾患又は状態が、パーキンソン病、アルツハイマー病、ハンチントン病、及び筋萎縮性側索硬化症を含む群から選択される神経変性性疾患である、請求項13に記載の方法。
【請求項１８】
哺乳動物における異常な細胞成長を含むか又はそれから生じる疾患若しくは状態の予防又は治療のための方法であって、哺乳動物においてHsp90活性を阻害するのに有効な量の、請求項2に記載の少なくとも1種の化合物を哺乳動物に投与することを含む方法。
【請求項１９】
異常な細胞成長を含むか又はそれから生じる疾患若しくは状態が、膀胱、乳房、大腸、腎臓、表皮、肝、肺、食道、胆嚢、卵巣、膵、胃、子宮頸部、甲状腺、前立腺、胃腸系又は皮膚の癌;リンパ系統の造血性腫瘍;骨髄腫系統の造血性腫瘍;甲状腺の濾胞性癌;間葉系起源の腫瘍;中枢又は末梢神経系の腫瘍;メラノーマ;精上皮腫;奇形癌;骨肉腫;色素性乾皮症;神経線維腫症;角化棘細胞腫;甲状腺濾胞性癌;及びカポジ肉腫を含む、請求項18に記載の方法。
【請求項２０】
抗癌剤に対する耐性の発生率を軽減又は減少させる方法であって、それらを必要とする対象に、請求項2に記載の少なくとも1種の化合物の、対象におけるHsp90活性を阻害するのに有効な量を投与することを含む方法。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
必要とする患者の糸球体上皮細胞関連障害、糸球体上皮細胞機能障害、糸球体上皮細胞喪失若しくは損傷、ポドサイト病、糸球体症、ネフローゼ症候群、微小変化群(MCD、例えば微小変化型腎症、例えばステロイドホルモン不応性微小変化型腎症)、膜性腎症(MN、例えば膜性糸球体腎炎)及び／又は巣状分節性糸球体硬化症(FSGS)の治療、予防並びに／或いはそのリスクの低減に用いる、下記式(I)
【化１】
2015516456.tif 000001
又は下記式(II)
【化２】
2015516456.tif 000002
又は下記式(III)
【化３】
2015516456.tif 000003
又は下記式(IV)
【化４】
2015516456.tif 000004
（式中、R1は([1,5]ナフチリジン-2-イル)メチル、(キナゾリン-2-イル)メチル、(キノキサリン-6-イル)メチル、(4-メチル-キナゾリン-2-イル)メチル、2-シアノ-ベンジル、(3-シアノ-キノリン-2-イル)メチル、(3-シアノ-ピリジン-2-イル)メチル、(4-メチル-ピリミジン-2-イル)メチル、又は(4,6-ジメチル-ピリミジン-2-イル)メチルを表し、R2は3-(R)-アミノ-ピペリジン-1-イル、(2-アミノ-2-メチル-プロピル)-メチルアミノ又は(2-(S)-アミノ-プロピル)-メチルアミノを表す）
のDPP-4阻害薬
又はその医薬的に許容できる塩を含む医薬組成物
（任意に1種以上の他の活性薬と併用してよい）。
【請求項２】
糸球体上皮細胞関連障害、糸球体上皮細胞機能障害、糸球体上皮細胞喪失若しくは損傷、及び／又はポドサイト病の治療、予防並びに／或いはそのリスクの低減に用いる、請求項1に記載のDPP-4阻害薬(好ましくはリナグリプチン)を含む医薬組成物（任意に1種以上の他の活性薬と併用してよい)。
【請求項３】
ネフローゼ症候群の治療、予防又はそのリスクの低減に用いる、請求項1又は2に記載のDPP-4阻害薬(好ましくはリナグリプチン)を含む医薬組成物（任意に1種以上の他の活性薬と併用してよい)。
【請求項４】
前記ネフローゼ症候群が、微小変化群(MCD、例えば微小変化型腎症、例えばステロイドホルモン不応性微小変化型腎症)、膜性腎症(MN、例えば膜性糸球体腎炎)及び／又は巣状分節性糸球体硬化症(FSGS)を包含するか又はそれらに起因するか又はそれらと関連する、請求項3に記載の医薬組成物。
【請求項５】
前記ネフローゼ症候群が原発性又は続発性である、請求項1〜4のいずれか1項に記載の医薬組成物。
【請求項６】
前記ネフローゼ症候群が従来の療法(例えばコルチコステロイド療法)に抵抗性であるか又は不応性である、請求項1〜5のいずれか1項に記載の医薬組成物。
【請求項７】
微小変化群(MCD、例えば微小変化型腎症、例えばステロイドホルモン不応性微小変化型腎症)、膜性腎症(MN、例えば膜性糸球体腎炎)及び／又は巣状分節性糸球体硬化症(FSGS)の治療、予防並びに／或いはそのリスクの低減に用いる、請求項1に記載のDPP-4阻害薬(好ましくはリナグリプチン)を含む医薬組成物（任意に1種以上の他の活性薬と併用してよい)。
【請求項８】
微小変化群(MCD、例えば微小変化型腎症、例えばステロイドホルモン不応性微小変化型腎症)の治療、予防及び／又はそのリスクの低減に用いる、請求項1に記載のDPP-4阻害薬(好ましくはリナグリプチン)を含む医薬組成物（任意に1種以上の他の活性薬と併用してよい)。
【請求項９】
膜性腎症(MN、例えば膜性糸球体腎炎)の治療、予防及び／又はそのリスクの低減に用いる、請求項1に記載のDPP-4阻害薬(好ましくはリナグリプチン)を含む医薬組成物（任意に1種以上の他の活性薬と併用してよい)。
【請求項１０】
巣状分節性糸球体硬化症(FSGS)の治療、予防及び／又はそのリスクの低減に用いる、請求項1に記載のDPP-4阻害薬(好ましくはリナグリプチン)を含む医薬組成物（任意に1種以上の他の活性薬と併用してよい)。
【請求項１１】
前記患者が例えば1型若しくは2型糖尿病又はLADA等の糖尿病を有する、請求項1〜10のいずれか1項に記載の医薬組成物。
【請求項１２】
前記患者が2型糖尿病を有する、請求項1〜11のいずれか1項に記載の医薬組成物。
【請求項１３】
前記患者が非糖尿病患者である、請求項1〜10のいずれか1項に記載の医薬組成物。
【請求項１４】
前記患者が腎機能に障害がある(例えば腎不全を有する)並びに／或いは腎症及び／又はアルブミン尿を有する、請求項1〜13のいずれか1項に記載の医薬組成物。
【請求項１５】
前記1種以上の他の活性薬には、ネフローゼ症候群の治療に適応とされる活性物質、例えばコルチコステロイド(例えばプレドニゾン又はプレドニゾロン)、利尿薬、アンジオテンシン変換酵素(ACE)阻害薬、アンジオテンシンII受容体遮断薬(ARB)、例えばテルミサルタン等、シクロホスファミド、シクロスポリン、及び／又は抗凝固薬から選択される活性物質が含まれる、請求項1〜14のいずれか1項に記載の医薬組成物。
【請求項１６】
前記DPP-4阻害薬が1-[(4-メチル-キナゾリン-2-イル)メチル]-3-メチル-7-(2-ブチン-1-イル)-8-(3-(R)-アミノ-ピペリジン-1-イル)-キサンチンである、請求項1〜15のいずれか1項に記載の医薬組成物。
【請求項１７】
好ましくは2型糖尿病患者、特に初期糖尿病性腎症を有する2型糖尿病患者、特にアンジオテンシン変換酵素(ACE)阻害薬及び／又はアンジオテンシンII受容体遮断薬(ARB)による治療にもかかわらずアルブミン尿のコントロールが不十分な患者におけるアルブミン尿又は糖尿病性腎症の治療、予防、そのリスクの低減、発症の遅延又は進行の減速方法に用いるリナグリプチンを含む医薬組成物であって、特に前記方法がリナグリプチンを1日経口量5mgで、アンジオテンシン変換酵素(ACE)阻害薬及び／又はアンジオテンシンII受容体遮断薬(ARB)と共に前記患者に投与する工程を含む、医薬組成物。
【請求項１８】
好ましくは2型糖尿病患者の腎臓の病的状態並びに／或いは死亡の予防、そのリスクの低減又は発症の遅延又は進行の減速に用いるリナグリプチンを含む医薬組成物。
【請求項１９】
好ましくは2型糖尿病患者のミクロ若しくはマクロアルブミン尿の発症若しくは進行、慢性腎疾患(CKD)の発症、CKDの悪化、及び／又は急性腎不全の発症の予防、そのリスクの低減又は遅延に用いるリナグリプチンを含む医薬組成物。